Podtech/llm-jp-corpus-v4-ja_patent huggingface dataset:
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
加熱および／または冷却要素を使用して、前記加熱および／または冷却要素により受け取られた周期的信号にしたがって、時間（ｔ）にわたり身体の表面の温度（Ｔ）に周期的変化を引き起こし、所定の周期で周期的に変動する時間に対する温度の導関数（ｄＴ／ｄｔ）を示すために、時間（ｔ）とともに変動する温度（Ｔ）の関数を生成することと、
前記身体の表面が前記周期的に変動するｄＴ／ｄｔを示す間に、前記身体から吸収および放出される中赤外線放射を測定することと、
前記中赤外線放射の測定および前記周期的に変動するｄＴ／ｄｔに基づいて、測定値を判定することと、
前記測定値との相互関連に基づいて、前記身体内の物質の濃度を判定することと、
を含む物質濃度監視方法。
【請求項２】
前記測定値はグルコース濃度と相互に関連付けられている、請求項１に記載の方法。
【請求項３】
前記中赤外線放射の吸収および放出を測定することは、
ある温度で、正のｄＴ／ｄｔ（上向き傾斜の温度変化）の間に、前記中赤外線放射を測定することと、
前記温度で、負のｄＴ／ｄｔ（下向き傾斜の温度変化）の間に、前記中赤外線放射を測定することと、
を含む、請求項１または２に記載の方法。
【請求項４】
前記中赤外線放射の吸収および放出を測定することは、
ある温度で、正のｄＴ／ｄｔ（上向き傾斜の温度変化）の間に、前記物質がその波長帯では中赤外線の放出または吸収に対する効果を有する第１波長帯内において、第１中赤外線放射を測定することと、
前記温度で、前記正のｄＴ／ｄｔの間に、前記物質がその波長帯では中赤外線の放出または吸収に対する効果をまったく有さないかまたはわずかな効果を有する第２波長帯内で、第１基準中赤外線放射を測定することと、
前記温度で、負のｄＴ／ｄｔ（下向き傾斜の温度変化）間に、前記第１波長帯内において、第２中赤外線放射を測定することと、
前記温度で、前記負のｄＴ／ｄｔの間に、前記第２波長帯内において、第２基準中赤外線放射を測定することと、
を含む、請求項１または２に記載の方法。
【請求項５】
前記測定値を判定することは、前記第１中赤外線放射の測定および前記第２中赤外線放射の測定と前記第１基準中赤外線放射の測定および前記第２基準中赤外線放射の測定とを、前記測定値を生成する方程式に含めることを含み、前記方法は、前記測定値と前記物質の濃度との相互関係を生成することをさらに含む、請求項４に記載の方法。
【請求項６】
吸収または放出された中赤外線放射が測定されるときのｄＴ／ｄｔを判定することと、ｄＴ／ｄｔを、前記物質の濃度と相互に関連付けられた前記測定値に含めることと、をさらに含む請求項１から５のいずれか一項に記載の方法。
【請求項７】
前記周期的信号は、前記正のｄＴ／ｄｔおよび前記負のｄＴ／ｄｔの両方の間に、前記加熱および／または冷却要素の、一定の温度変化率（ｄＴ／ｄｔ）を生成する、請求項３または４に記載の方法。
【請求項８】
前記周期的信号は、矩形波、三角波、正弦波、またはこれらの組み合わせに対応する前記加熱および／または冷却要素の周期的温度パターンを生成する、請求項１から７のいずれか一項に記載の方法。
【請求項９】
連続的監視装置を前記身体に取り付けることをさらに含み、
前記測定値を判定することが、前記身体内の物質の濃度をそれぞれ示す連続的な複数のデータパラメータを、前記身体に固定された前記連続的監視装置を用いて収集された対応する連続的な複数の中赤外線測定セットに基づいて、生成することを含み、前記連続的な複数の中赤外線測定セットのうちの各中赤外線測定セットは、前記物質がその波長帯では中赤外線の放出および吸収に対する効果を有する第１波長帯内における前記身体の表面の中赤外線測定と、前記物質がその波長帯では中赤外線の放出および吸収に対する効果をまったく有さないかまたはわずかな効果を有する第２波長帯内における前記身体の表面の中赤外線測定と、吸収または放出された中赤外線放射が測定されるときのｄＴ／ｄｔとを含み、
前記濃度または前記連続的な複数のデータパラメータが許容値内であるかどうかを判定することにより、前記連続的監視装置が連続的な複数の中赤外線測定の間で前記身体に接触し続けている時間にわたって前記身体内の物質の濃度を連続的に監視することと、
前記濃度のうちの一つもしくは複数が、または前記連続的な複数のデータパラメータのうちの一つもしくは複数が、前記許容値外であるとき、警告出力を生成することと、
をさらに含む請求項６に記載の方法。
【請求項１０】
前記複数の中赤外線測定セットのうちの各中赤外線測定セットは前記所定の周期に対応する、請求項９に記載の方法。
【請求項１１】
前記複数の中赤外線測定セットのうちの各中赤外線測定セットは、一定の温度変化率を有する前記所定の周期の一部の間に取得される、請求項９または１０に記載の方法。
【請求項１２】
複数の中赤外線測定が、前記連続的監視装置を前記身体から取り外すことなく取得される、請求項９から１１のいずれか一項に記載の方法。
【請求項１３】
前記複数の中赤外線測定が１時間を超える時間にわたり取得される、請求項１２に記載の方法。
【請求項１４】
前記複数の中赤外線測定セットのうちの各中赤外線測定セットは、前記第１波長帯内における黒体装置の中赤外線測定と、前記第２波長帯内における黒体装置の中赤外線測定と、をさらに含む、請求項９から１３のいずれか一項に記載の方法。
【請求項１５】
警告を表示するようワイヤレス送信器を介して遠隔装置に前記警告出力を送ることをさらに含み、
前記遠隔装置はモバイル電話を含み、前記警告出力は、前記遠隔装置が緊急サービスに連絡すべきであることを指示する、請求項９から１４のいずれか一項に記載の方法。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
陰圧創傷治療のための装置であって、
創傷包帯を備え、前記創傷包帯が、
伝達層の厚さを通して垂直に延在する、複数の水平方向で離隔された貫通穴を備える伝達層と、
吸収剤層の厚さを通して垂直に延在する、複数の水平方向で離隔された貫通穴を備える吸収剤層と、
前記吸収剤層の上に位置付けられ、カバー層の下に陰圧チャンバを形成するように構成された、透明または半透明のカバー層と、
陰圧を前記陰圧チャンバに伝えるように構成されたポートと、
を備え、
前記伝達層の前記貫通穴が前記吸収剤層の前記貫通穴の下に少なくとも部分的に位置付けられることによって、前記創傷包帯が患者に適用されているときに、創傷カバーを通して前記創傷包帯の下にある組織を見ることができることを特徴とする装置。
【請求項２】
前記伝達層の前記複数の水平方向で離隔された貫通穴が、１０ｍｍ（または約１０ｍｍ）以下の間隔であり、前記吸収剤層の前記複数の水平方向で離隔された貫通穴が、１０ｍｍ（または約１０ｍｍ）以下の間隔である、請求項１に記載の装置。
【請求項３】
前記伝達層の前記複数の水平方向で離隔された貫通穴が、前記伝達層の面積にわたって第１のパターンで形成され、前記吸収剤層の前記複数の水平方向で離隔された貫通穴が、前記伝達層の面積にわたって第２のパターンで形成される、請求項１または２に記載の装置。
【請求項４】
前記吸収剤層の厚さを通して垂直に延在する前記貫通穴が、前記伝達層の厚さを通して垂直に延在する貫通穴よりも寸法が大きい、請求項１から３のいずれか一項に記載の装置。
【請求項５】
前記伝達層および／または前記吸収剤層の前記貫通穴のいくつかまたはすべてが六角形状である、請求項１から４のいずれか一項に記載の装置。
【請求項６】
前記伝達層および／または前記吸収剤層の前記貫通穴のいくつかまたはすべてが菱形形状である、請求項１から４のいずれか一項に記載の装置。
【請求項７】
前記伝達層の前記貫通穴が５ｍｍ以下、或いは、１ｍｍ以下の直径を有する、請求項１から６のいずれか一項に記載の装置。
【請求項８】
前記伝達層の下に位置付けられた組織接触層をさらに備える、請求項１から７のいずれか一項に記載の装置。
【請求項９】
前記カバー層がその周囲の周りで前記組織接触層に対してシールするように構成される、請求項８に記載の装置。
【請求項１０】
前記吸収剤層が、複数の超吸収性粒子を含む不織布材料を含む、請求項１から９のいずれか一項に記載の装置。
【請求項１１】
前記創傷包帯から運ばれた流体を貯蔵するための流体回収キャニスタをさらに備える、請求項１から１０のいずれか一項に記載の装置。
【請求項１２】
創傷浸出物を前記カバー層の下で保定するため、前記ポート内または前記ポートの下にフィルタをさらに備える、請求項１から１１のいずれか一項に記載の装置。
【請求項１３】
前記ポートが前記カバー層の穴の上に取り付けられる、請求項１から１２のいずれか一項に記載の装置。
【請求項１４】
前記貫通穴の少なくともいくつかの中に位置付けられるプラグ材料をさらに含む、請求項１から１３のいずれか一項に記載の装置。
【請求項１５】
前記貫通穴が、限定された直径を有することによって、前記組織に対する吸引水疱を防ぐかまたは最小限に抑えるように構成され、
前記限定された直径が約１０ｍｍ以下である、請求項１から１４のいずれか一項に記載の装置。
【手続補正書】
【提出日】平成30年5月11日(2018.5.11)
【手続補正１】
【補正対象書類名】特許請求の範囲
【補正対象項目名】請求項１
【補正方法】変更
【補正の内容】
【請求項１】
リムを備えたバスケットボール・ゴール用の磁気を有するネットであって、
標準的なバスケットボール・ネットと、
該標準的なバスケットボール・ネットに連結されると共に、前記リムには連結されていない、１つ以上の磁石と、を含むことを特徴とする磁気を有するネット。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
体内の血管における狭窄部を評価するための方法であって、前記体は、
- 前記狭窄部を有する第一の血管と、 
- 前記第一の血管に対してほぼ対称である第二の血管と
を有し、前記方法は、
- 前記第一の血管の画像データ及び前記第二の血管の画像データを同時に得るように前記第一の血管及び前記第二の血管をイメージングするステップと、
- 前記第二の血管の前記画像データから前記狭窄部を有する前記第一の血管のセクションに対応する前記第二の血管のセクションに関する血行力学的特性を決定するステップと、
- 前記画像データの3Dセグメンテーション及びそれから導出される前記第一の血管の構造データ並びに前記第一の血管の入口及び出口における境界条件を含む入力パラメータであって、前記入力パラメータは前記狭窄部を有する前記第一の血管の前記セクションに対応する前記第二の血管の前記セクションに関する前記画像データから導出される特性に少なくとも部分的に基づく、入力パラメータに基づく血行力学的特性モデルを用いることによって、前記第一の血管の前記画像データから前記狭窄部を有する前記第一の血管の前記セクションに関する血行力学的特性を決定するステップと、 
- 前記狭窄部を有する前記第一の血管の前記セクションに関する前記決定される血行力学的特性、及び前記狭窄部を有する前記第一の血管の前記セクションに対応する前記第二の血管の前記セクションに関する前記決定される血行力学的特性に基づいて狭窄データを生成するステップと
を有する、方法。
【請求項２】
前記狭窄部を有する前記第一の血管の前記セクションに関する前記血行力学的特性は前記狭窄部を有する前記第一の血管の前記セクションに対応する前記第二の血管の前記セクションに関する決定される血行力学的特性から少なくとも部分的に決定される、請求項1に記載の方法。
【請求項３】
前記第一の血管と前記第二の血管との間の対称性情報がスライス毎に基づいて決定され、前記狭窄部を有する前記第一の血管のセクションに対応する前記第二の血管の前記セクションが前記決定される対称性情報に基づいて選択される、請求項1又は２に記載の方法。
【請求項４】
前記血行力学的特性モデルは少なくとも前記第一の血管における血流の計算流体力学シミュレーションに基づく、請求項１乃至３の何れか一項に記載の方法。
【請求項５】
前記一つ又はそれより多くの血行力学的特性は冠血流予備量比、血圧低下、及び狭窄抵抗を有するグループから選択される、請求項1乃至４の何れか一項に記載の方法。
【請求項６】
前記イメージングは非侵襲性イメージング、好ましくはコンピュータ断層撮影X線イメージング、2D  X線血管造影法、又はC-アームX線イメージングのようなX線イメージングである、請求項1乃至５の何れか一項に記載の方法。
【請求項７】
前記第一及び前記第二の血管部分は足血管のセット、腕血管のセット、頸動脈のセット、又は腸骨動脈のセットである、請求項1乃至６の何れか一項に記載の方法。
【請求項８】
前記狭窄部を有する前記第一の血管の前記セクションに関する少なくとも前記決定される血行力学的特性が好ましくは前記脈管の相対長さに関して表示される、請求項1乃至７の何れか一項に記載の方法。
【請求項９】
前記狭窄部を有する前記第一の血管の前記セクションに対応する前記第二の血管の前記セクションに関する前記決定される血行力学的特性が表示され、好ましくは前記狭窄部を有する前記第一の血管の前記セクションに対応する前記第二の血管の前記セクションに関する前記決定される血行力学的特性がミラー表示される、請求項８に記載の方法。
【請求項１０】
前記狭窄部を有する前記第一の血管の前記セクションに関する前記決定される血行力学的特性を表示し、好ましくは前記脈管の前記相対長さに関して前記決定される血行力学的特性を表示するステップ
を更に有する、請求項1乃至９の何れか一項に記載の方法。
【請求項１１】
前記狭窄部を有する前記第一の血管の前記セクションに対応する前記第二の血管の前記セクションに関する前記決定される血行力学的特性を表示し、好ましくは前記ミラーされる狭窄部を有する前記第一の血管の前記セクションに対応する前記第二の血管の前記セクションに関する前記決定される血行力学的特性を表示するステップ
を更に有する、請求項１０に記載の方法。
【請求項１２】
体内の血管における狭窄重症度を評価するためのシステムであって、前記体は、
- 狭窄部を有する第一の血管と、 
- 前記第一の血管に対してほぼ対称である第二の血管と
を有し、前記システムは、
- 前記第一の血管及び前記第二の血管の画像データを同時に生成するように構成されるイメージング手段と、
- 前記第二の血管の前記画像データから前記狭窄部を有する前記第一の血管の前記セクションに対応する前記第二の血管のセクションに関する血行力学的特性を決定し、
- 前記画像データの3Dセグメンテーション及びそれから導出される前記第一の血管の構造データ並びに前記第一の血管の入口及び出口における境界条件を含む入力パラメータであって、前記入力パラメータは前記狭窄部を有する前記第一の血管の前記セクションに対応する前記第二の血管の前記セクションに関する前記画像データから導出される特性に少なくとも部分的に基づく、入力パラメータに基づく血行力学的特性モデルを用いることによって、前記第一の血管の画像データから前記狭窄部を有する前記第一の血管の前記セクションに関する前記血行力学的特性を決定する、
ように構成される血行力学的特性決定手段と
を有し、
- 前記血行力学的特性決定手段は、前記狭窄部を有する前記第一の血管の前記セクションに対応する前記第二の血管の前記セクションに関する前記決定される血行力学的特性に基づいて、前記狭窄部を有する前記第一の血管の前記セクションに関する血行力学的特性を評価するための入力を生成するように構成される、システム。
【請求項１３】
- 前記血行力学的特性決定手段は、前記狭窄部を有する前記第一の血管の前記セクションに対応する前記第二の血管の前記セクションに関する決定される血行力学的特性から少なくとも部分的に、前記狭窄部を有する前記第一の血管の前記セクションに関する前記血行力学的特性を決定するように構成される、
請求項１２に記載のシステム。
【請求項１４】
前記イメージング手段は非侵襲性イメージング手段であり、好ましくは前記非侵襲性イメージング手段は、コンピュータ断層撮影X線イメージング装置、2D  X線血管造影法又はC-アームX線イメージング装置のようなX線イメージング装置を有する、請求項１２又は1３に記載のシステム。
【請求項１５】
体内の血管における狭窄部を評価するためのコンピュータプログラムプロダクトであって、前記体は、前記狭窄部を有する第一の血管と、前記第一の血管に対してほぼ相対的に対称である第二の血管とを有し、前記コンピュータプログラムプロダクトが前記コンピュータ上で実行されるとき、請求項１乃至１１の何れか一項に記載の方法のステップを実行する命令を有する、コンピュータプログラムプロダクト。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ハンドルを有するバイオプシーガンの針を追跡するためのシステムであって、前記システムは、
前記バイオプシーガンの前記針を受容するイントロデューサと、
前記イントロデューサの長さに沿って配置され、前記長さに沿って離間した２つ以上のセンサと、
前記イントロデューサ及びインタフェースが動作可能に前記バイオプシーガンに結合すると共に前記バイオプシーガンを支持するように、且つ、前記インタフェースが前記バイオプシーガンの前記ハンドルを受容するように、前記イントロデューサに接続する当該インタフェースと
を備え、
前記２つ以上のセンサが、医療撮像を用いて前記バイオプシーガンの位置決めを行い向きを決めるためのフィードバックを与える、システム。
【請求項２】
前記イントロデューサが中空管を含み、前記センサが前記中空管内又は前記中空管上に配置されている、請求項１に記載のシステム。
【請求項３】
前記イントロデューサが前記インタフェースに接続され、前記イントロデューサ及び前記インタフェースの少なくとも一方が使い捨てである、請求項１に記載のシステム。
【請求項４】
前記イントロデューサが前記インタフェースと一体化されてアセンブリを形成し、前記アセンブリが使い捨てである、請求項１に記載のシステム。
【請求項５】
前記センサに接続して前記センサからの前記フィードバックのための信号処理を与えるアダプタ電子機器を更に備える、請求項１に記載のシステム。
【請求項６】
前記アダプタ電子機器が前記インタフェース内で一体化されている、請求項５に記載のシステム。
【請求項７】
前記アダプタ電子機器が前記インタフェースの外部にあるモジュールに含まれる、請求項５に記載のシステム。
【請求項８】
前記フィードバックを受信し、画像において前記イントロデューサの位置及び向きを示すための画像情報を発生させる解釈モジュール
を更に備える、請求項１に記載のシステム。
【請求項９】
前記バイオプシーガンの前記針が、内側スタイレット及び外側カニューレを備え、前記解釈モジュールが更に、前記イントロデューサの位置及び向きに基づいてバイオプシーサンプルの推定位置を決定する、請求項８に記載のシステム。
【請求項１０】
前記イントロデューサの前記位置及び向きの前記画像情報に基づいて前記推定位置の画像を発生させる画像処理モジュールを更に備える、請求項９に記載のシステム。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
投影データを取得するための投影データ取得装置であって、当該投影データ取得装置は、
物体を横切るパルス状放射ビームを発生させるための放射デバイスと、
前記物体を横切った後の前記パルス状放射ビームを示す投影データを発生させるための検出デバイスと、
前記物体に対する前記放射デバイスの異なる取得位置で前記投影データを発生させるため、当該放射デバイスと当該物体とを互いに対して相対的に移動させるための移動ユニットと、を備え、
前記放射デバイスは、異なる取得位置で前記パルス状放射ビームが異なる形状を有するように当該パルス状放射ビームを発生させ、
前記放射デバイスは、放射ビームを発生させるための放射源と、異なる取得位置で前記パルス状放射ビームが異なる形状を有するように当該パルス状放射ビームを発生させるために前記放射ビームを部分的に阻止及び／又は減衰するためのコリメータと、を備え、
前記コリメータは、前記検出デバイス上に影になった領域と影になっていない領域とが発生するように前記放射ビームを部分的に阻止し、前記検出デバイスは、前記影になっていない領域に誘導されたパルス状放射ビームに基づいて前記投影データを発生させると共に、前記影になった領域へ散乱した放射に基づいて散乱データを発生させ、前記投影データ取得装置は更に、発生した前記投影データを前記散乱データに基づいて補正するための補正ユニットを備える、
投影データ取得装置。
【請求項２】
前記放射源がパルス状放射ビームを発生させ、前記コリメータが、異なる取得位置で前記パルス状放射ビームが異なる形状を有するように当該パルス状放射ビームを発生させるために当該パルス状放射ビームを部分的に阻止又は減衰する、請求項１に記載の投影データ取得装置。
【請求項３】
前記コリメータは、いくつかの開口を有する回転可能なシリンダを備え、前記コリメータは、異なる取得位置で前記パルス状放射ビームが異なる形状を有するように当該パルス状放射ビームを発生させるため、前記異なる取得位置では前記開口が前記放射源に対して異なる回転位置に配置されるように前記シリンダを回転させる、請求項１に記載の投影データ取得装置。
【請求項４】
前記シリンダの前記開口は、当該シリンダの長手方向軸に沿って第１の位置に配置された第１の開口と、当該シリンダの長手方向軸に沿って第２の位置に配置された第２の開口と、を含み、前記第１の開口及び前記第２の開口は相互に対して円周方向のオフセットを有する、請求項３に記載の投影データ取得装置。
【請求項５】
前記投影データ取得装置は更に、前記物体内の様々な空間領域について放射線量上限を規定する空間放射線量拘束値を与えるための放射線量拘束値提供ユニットを備え、前記放射デバイス、前記検出デバイス、及び前記移動ユニットは、与えられた前記空間放射線量拘束値が達成されるように前記投影データを発生させる、請求項１に記載の投影データ取得装置。
【請求項６】
前記放射デバイスは、異なる取得位置で前記パルス状放射ビームのパルス持続時間が異なる、請求項１に記載の投影データ取得装置。
【請求項７】
前記移動ユニットは、前記投影データ取得中に取得軌道に沿って前記物体に対して前記放射デバイスを移動させ、前記放射デバイス及び前記検出デバイスは、前記取得軌道に沿った異なる取得位置のグループごとの投影データ取得に対応すると共に、前記パルス状放射ビームを実際に発生させ、前記物体を横切った後の当該パルス状放射ビームを、前記異なる取得位置のグループのうちのサブグループのみで検出する、請求項１に記載の投影データ取得装置。
【請求項８】
請求項１に記載の投影データ取得装置の放射源によって発生した放射をコリメートするためのコリメータの使用であって、前記コリメータは、シリンダの長手方向軸に沿って第１の位置に配置された第１の開口と、当該シリンダの長手方向軸に沿って第２の位置に配置された第２の開口と、を含むいくつかの開口を有する回転可能なシリンダを備え、前記第１の開口及び前記第２の開口は互いに対して円周方向のオフセットを有する、コリメータの使用。
【請求項９】
物体のコンピュータ断層撮影画像を発生させるためのコンピュータ断層撮影システムであって、当該コンピュータ断層撮影システムは、
請求項１に記載の投影データ取得装置であって、前記物体の投影データを取得するための投影データ取得装置と、
取得された前記投影データに基づいて前記物体のコンピュータ断層撮影画像を再構成するための再構成ユニットと、
を備える、コンピュータ断層撮影システム。
【請求項１０】
投影データを取得するための投影データ取得方法であって、当該投影データ取得方法は、
放射デバイスが、物体を横切るパルス状放射ビームを発生させるステップと、
検出デバイスが、前記物体を横切った後の前記パルス状放射ビームを示す投影データを発生させるステップと、
移動ユニットが、前記物体に対する前記放射デバイスの異なる取得位置で前記投影データを発生させるため、当該放射デバイスと当該物体とを互いに対して相対的に移動させるステップと、を含み、
前記放射デバイスは、異なる取得位置で前記パルス状放射ビームが異なる形状を有するように当該パルス状放射ビームを発生させ、
コリメータが、前記検出デバイス上に影になった領域と影になっていない領域とが発生するように前記パルス状放射ビームを部分的に阻止し、前記検出デバイスは、前記影になっていない領域に誘導されたパルス状放射ビームに基づいて投影データを発生させると共に、前記影になった領域へ散乱した放射に基づいて散乱データを発生させ、補正ユニットが、発生した前記投影データを、前記散乱データに基づいて補正する、投影データ取得方法。
【請求項１１】
物体のコンピュータ断層撮影画像を発生させるためのコンピュータ断層撮影方法であって、当該コンピュータ断層撮影方法は、
請求項１に記載の投影データ取得装置によって、請求項１０に記載の投影データ取得方法において規定される物体の投影データを取得するステップと、
再構成ユニットによって、取得された前記投影データに基づいて前記物体の前記コンピュータ断層撮影画像を再構成するステップと、
を含む、コンピュータ断層撮影方法。
【請求項１２】
投影データを取得するためのコンピュータプログラムであって、当該コンピュータプログラムは、請求項１に記載の投影データ取得装置を制御するコンピュータ上で実行された場合、前記投影データ取得装置に、請求項１０に記載の投影データ取得方法のステップを遂行させるためのプログラムコード手段を備える、コンピュータプログラム。
【請求項１３】
物体のコンピュータ断層撮影画像を発生させるためのコンピュータプログラムであって、当該コンピュータプログラムは、請求項９に記載のコンピュータ断層撮影システムを制御するコンピュータ上で実行された場合、前記コンピュータ断層撮影システムに、請求項１１に記載のコンピュータ断層撮影方法のステップを遂行させるためのプログラムコード手段を備える、コンピュータプログラム。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
医療用流体を移送するための自動システムと共に使用されるように構成された流体工学アセンブリであって、
雄または雌の流体コネクタを備え、流体供給源容器と流体連通して取り付け可能であるように構成された第１の流体コネクタと、
雄または雌の流体コネクタを備え、流体目標容器と流体連通して取り付け可能であるように構成された第２の流体コネクタと、
中間容器と、
複数の流体通路の間で切り替わるように構成された弁を有するコネクタであって、前記複数の流体通路は、前記流体供給源容器から前記中間容器へと流れるように構成された第１の流体通路、および前記中間容器から前記流体目標容器へと流れるように構成された第２の流体通路を含む、コネクタと
を備え、
前記コネクタが前記自動システムに固定されるように構成され、前記弁が、医療用流体を移送するための前記自動システムの自動機構によって、前記複数の流体通路の間に位置付けられるように構成されている、流体工学アセンブリ。
【請求項２】
前記流体供給源容器がバイアルであり、前記流体目標容器がＩＶバッグである、請求項１に記載の流体工学アセンブリと、前記流体供給源容器と、前記流体目標容器との組み合わせ。
【請求項３】
前記第１の流体コネクタが雄流体コネクタである、請求項１に記載の流体工学アセンブリ。
【請求項４】
前記第２の流体コネクタが雌流体コネクタである、請求項１に記載の流体工学アセンブリ。
【請求項５】
前記中間容器が注射器である、請求項１に記載の流体工学アセンブリ。
【請求項６】
ディスプレイおよびキーパッドを備える流体移送ステーションと、
請求項１〜５のいずれか一項に記載の流体工学アセンブリと
を備える医療流体システムであって、
前記流体移送ステーションは、前記弁を有する前記コネクタを、供給源容器から注射器への通路と、前記注射器から目的先容器に向かう通路との間で切り替えるように自動的に制御するように構成されている、医療用流体移送システム。
【請求項７】
前記供給源容器をさらに備える、請求項６に記載の流体移送システム。
【請求項８】
前記目的先容器をさらに備える、請求項６に記載の流体移送システム。
【請求項９】
前記複数の雄または雌コネクタは、複数の閉止可能な雄流体コネクタを含む、請求項６に記載の流体移送システム。
【請求項１０】
医療用流体の移送を可能にする方法であって、
ディスプレイおよびキーパッドを伴う流体移送ステーションを提供するステップと、
請求項１〜５のいずれか一項に記載の流体工学アセンブリを提供するステップと
を含み、
前記流体移送ステーションは、前記弁を有する前記コネクタを、複数の通路の間で切り替えるように自動的に制御するように構成されている、方法。
【請求項１１】
前記複数の通路は、供給源容器から中間容器への通路を含む、請求項１０に記載の方法。
【請求項１２】
前記複数の通路は、前記中間容器から目標容器への通路を含む、請求項１１に記載の方法。
【請求項１３】
前記供給源容器がバイアルである、請求項１２に記載の方法。
【請求項１４】
前記中間容器が注射器である、請求項１３に記載の方法。
【請求項１５】
前記目標容器がＩＶバッグである、請求項１４に記載の方法。
【手続補正書】
【提出日】平成30年7月12日(2018.7.12)
【手続補正１】
【補正対象書類名】明細書
【補正対象項目名】００２５
【補正方法】変更
【補正の内容】
【００２５】
この実施例において、歯科矯正用リガチャーツリー１００は、少なくとも、歯科矯正用リガチャー１、バー１０１、狭窄連結部１０２、及びフィンガーリング１０３を含み、モノリシックに形成されている。したがって、歯科矯正用リガチャーツリー１００は、１つの弾性材料、この実施例では熱可塑性エラストマー、より具体的には熱可塑性ポリウレタン、及び好ましくはＢａｙｅｒ  ＡＧ，Ｇｅｒｍａｎｙから入手可能なＴｅｘｉｎ（登録商標）２８５により作製されている。Ｔｅｘｉｎ（登録商標）２８５は、およそ８５のショアＡ硬度を有する、芳香族ポリエステルベースの熱可塑性ポリウレタン等級である。本発明の実施態様の一部を以下の［項目１］−［項目１４］に記載する。
［項目１］
歯科矯正用アーチワイヤーを歯科矯正用ブラケットに固定するための歯科矯正用リガチャーであって、前記歯科矯正用リガチャーは、弾性バンドの中心軸に沿って延びる該弾性バンドから形成され、前記弾性バンドは中心軸を備え閉じた経路に沿って周方向に、かつ本質的に平面内に延び、前記バンドは、前記平面と本質的に平行な方向に延びるフラップを更に形成し、前記フラップは把持部分を形成し、前記弾性バンドは、前記平面と垂直な次元に、前記歯科矯正用リガチャーを通じて延びる貫通孔を形成する穴を画定し、前記平面に沿った次元における前記穴は、全体的に鍵穴形又は楕円形であり、前記把持部分が延びる方向に沿った主寸法を有する、歯科矯正用リガチャー。
［項目２］
前記フラップから、前記平面とほぼ垂直な次元に突出する保持具を有する、項目１に記載の歯科矯正用リガチャー。
［項目３］
前記フラップの両側それぞれに、互いに離間した一対の保持具を有している、項目２に記載の歯科矯正用リガチャー。
［項目４］
前記保持具は、前記穴の最大寸法をほぼ横断するように延びるバー形状である、項目２又は３に記載の歯科矯正用リガチャー。
［項目５］
前記バンドは、ほぼ均一な断面で周辺部の一区画のみに沿って延び、前記周辺部の他の区画が前記フラップを形成する、項目１〜４のいずれか一項に記載の歯科矯正用リガチャー。
［項目６］
少なくとも前記平面に沿った次元の均一な断面は、同じ次元における前記穴の大きさに本質的に対応した大きさを有する、項目５に記載の歯科矯正用リガチャー。
［項目７］
少なくとも前記均一な断面が、ほぼ矩形、又はレーストラック形状に延びる、項目５又は６に記載の歯科矯正用リガチャー。
［項目８］
ほぼ鍵穴形状、又は楕円形である平面に沿った次元の全体的外形を有する、項目１〜７のいずれか一項に記載の歯科矯正用リガチャー。
［項目９］
前記平面に沿った次元における前記穴は、全体的に鍵穴形又は楕円形であり、前記歯科矯正用リガチャーの前記全体的な外形は、第１の領域の中心を形成し、前記穴の形状は、第２の領域の中心を形成し、前記第１の領域の中心及び前記第２の領域の中心は互いにオフセットされている、項目７に記載の歯科矯正用リガチャー。
［項目１０］
熱可塑性エラストマーにより作製されている、項目１〜９のいずれか一項に記載の歯科矯正用リガチャー。
［項目１１］
項目１〜９のいずれか一項に記載の複数の歯科矯正用リガチャーが、フラップが外側に向くようにして配置されるバーを含み、前記バー及び前記歯科矯正用リガチャーは、同じ材料から単一片としてモノリシックに形成されており、既定の破断ゾーンを形成する狭窄連結部により接続されている、歯科矯正用リガチャーツリー。
［項目１２］
前記複数の歯科矯正用リガチャーは、前記バーの両側で、２本の列に沿って配置されている、項目１１に記載の歯科矯正用リガチャーツリー。
［項目１３］
前記バーに接続されたフィンガーリングを更に含む、項目１１又は１２に記載の歯科矯正用リガチャーツリー。
［項目１４］
項目１１〜１３のいずれか一項に記載の歯科矯正用リガチャーツリーと、患者個別のリンガルブラケットのセットとを含む、部品のキット。
【手続補正２】
【補正対象書類名】特許請求の範囲
【補正対象項目名】全文
【補正方法】変更
【補正の内容】
【特許請求の範囲】
【請求項１】
歯科矯正用アーチワイヤーを歯科矯正用ブラケットに固定するための歯科矯正用リガチャーであって、前記歯科矯正用リガチャーは、弾性バンドの中心軸に沿って延びる該弾性バンドから形成され、前記弾性バンドは中心軸を備え閉じた経路に沿って周方向に、かつ本質的に平面内に延び、前記バンドは、前記平面と本質的に平行な方向に延びるフラップを更に形成し、前記フラップは把持部分を形成し、前記弾性バンドは、前記平面と垂直な次元に、前記歯科矯正用リガチャーを通じて延びる貫通孔を形成する穴を画定し、前記平面に沿った次元における前記穴は、全体的に鍵穴形又は楕円形であり、前記把持部分が延びる方向に沿った主寸法を有する、歯科矯正用リガチャー。
【請求項２】
前記フラップから、前記平面とほぼ垂直な次元に突出する保持具を有する、請求項１に記載の歯科矯正用リガチャー。
【請求項３】
請求項１に記載の複数の歯科矯正用リガチャーが、フラップが外側に向くようにして配置されるバーを含み、前記バー及び前記歯科矯正用リガチャーは、同じ材料から単一片としてモノリシックに形成されており、既定の破断ゾーンを形成する狭窄連結部により接続されている、歯科矯正用リガチャーツリー。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
被験者の画像をセグメント化するデバイスであって、当該デバイスは、
前記被験者の画像と、前記画像内の構造を示す少なくとも１つの輪郭又は輪郭の少なくとも一部とを受信するデータインターフェースと、
前記輪郭又は前記輪郭の前記一部により第１の分離部及び第２の分離部に分割される前記画像内の領域をユーザが選択する選択ユニットと、
画像セグメンテーションのための少なくとも１つのパラメータに基づいて、選択された前記領域の第１の画像区域を第１の画像クラスに分類し、選択された前記領域の第２の画像区域を第２の画像クラスに分類する分類器であって、前記第１の画像クラスは前記第１の分離部についての特徴があり、前記第２の画像クラスは前記第２の分離部についての特徴がある、分類器と、
目的関数の出力が最大化又は最小化される前記少なくとも１つのパラメータの値を見つけることにより、前記少なくとも１つのパラメータを最適化するオプティマイザであって、前記目的関数は、前記少なくとも１つのパラメータの品質を決定し、前記第１の画像区域及び第２の画像区域に基づいている、オプティマイザと、
最適化された前記少なくとも１つのパラメータを使用して前記画像をセグメント化する画像セグメンテーションユニットとを有し、
前記選択ユニットは、前記輪郭を前記領域の内部の第１の輪郭部及び前記領域の外部の第２の輪郭部に分割するように前記領域を選択し、
前記画像セグメンテーションユニットは、前記領域に最適化された前記少なくとも１つのパラメータを、前記第２の輪郭部において選択された少なくとも一部分に適用する、デバイス。
【請求項２】
前記第１の画像クラスは、前記第１の分離部の主要な画像クラスである、請求項１に記載のデバイス。
【請求項３】
前記第２の画像クラスは、前記第２の分離部の主要な画像クラスである、請求項１に記載のデバイス。
【請求項４】
前記オプティマイザは、前記第１の分離部から前記第１の画像クラスに対応する第１の区域を決定する、請求項１に記載のデバイス。
【請求項５】
前記オプティマイザは、前記第２の分離部から前記第２の画像クラスに対応する第２の区域を決定する、請求項１に記載のデバイス。
【請求項６】
前記目的関数は、前記第１の区域と前記第２の区域との和を含む、請求項４及び５に記載のデバイス。
【請求項７】
前記オプティマイザは、前記第１の分離部及び／又は前記第２の分離部のグラウンドトルース分類に従って前記目的関数の前記出力を最大化する、請求項１に記載のデバイス。
【請求項８】
前記画像セグメンテーションユニットは、前記最適化されたパラメータのセットを使用して前記輪郭又は前記輪郭の前記一部を調整する、請求項１に記載のデバイス。
【請求項９】
前記輪郭又は前記輪郭の前記一部は、描画された輪郭若しくは輪郭の描画された一部及び／又は計算された輪郭を含む、請求項１に記載のデバイス。
【請求項１０】
被験者の画像をセグメント化するシステムであって、
前記被験者の少なくとも１つの画像を生成する撮像装置と、
生成された前記少なくとも１つの画像をセグメント化する請求項１に記載のデバイスとを有する、システム。
【請求項１１】
被験者の画像をセグメント化する方法であって、
前記被験者の画像と、前記画像内の構造を示す少なくとも１つの輪郭又は輪郭の少なくとも一部とを受信するステップと、
前記輪郭又は前記輪郭の一部により第１の分離部及び第２の分離部に分割され、ユーザによって描画された領域及び／又はコンピュータによって生成された領域を含む、前記画像内の領域をユーザが選択するステップと、
画像セグメンテーションのために少なくとも１つのパラメータに基づいて、選択された前記領域の第１の画像区域を第１の画像クラスに分類し、選択された前記領域の第２の画像区域を第２の画像クラスに分類するステップであって、前記第１の画像クラスは前記第１の分離部についての特徴があり、前記第２の画像クラスは前記第２の分離部についての特徴がある、ステップと、
目的関数の出力が最大化又は最小化される前記少なくとも１つのパラメータの値を見つけることにより、前記少なくとも１つのパラメータを最適化するステップであって、前記目的関数は、前記少なくとも１つのパラメータの品質を決定し、前記第１の画像区域及び第２の画像区域に基づいている、ステップと、
最適化された前記少なくとも１つのパラメータを使用して前記画像をセグメント化するステップとを含み、
前記輪郭を前記領域の内部の第１の輪郭部及び前記領域の外部の第２の輪郭部に分割するように前記領域を選択するステップと、
前記領域に最適化された前記少なくとも１つのパラメータを、前記第２の輪郭部において選択された少なくとも一部分に適用するステップとを更に含む、方法。
【請求項１２】
コンピュータプログラムがコンピュータで実行される場合に、前記コンピュータに、請求項１１に記載の方法のステップを実行させるためのプログラムコード手段を有する、コンピュータプログラム。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
デカルト座標系のＸ−Ｚ平面内に延びる層の部分である測定領域（７）において崩壊核種の放射信号（１０）の発生位置（９）を決定する方法であって、
前記測定領域（７）からの放射信号（１０）を受信し、受信した放射信号（１０）に基づく測定値を提供するための、数量ｎ＝２，３，・・・，ｉの放射線検出器（２）が、前記測定領域（７）から異なる距離を有するように、互いの及び前記測定領域（７）に対する既知の相対的空間配置で配置され、
前記放射線検出器（２）のそれぞれが、前記測定領域（７）内側の異なる発生位置（９）から生じる放射信号（１０）の検出に関して異なる幾何学的効率を有し、
放射信号（１０）は、前記数量の放射線検出器（２）のそれぞれの個々の放射線検出器（２）により或る測定時間に前記測定領域（７）から検出され、前記検出した放射信号（１０）に基づいて、測定値が前記測定時間に関連付けられるように提供され、
前記放射信号（１０）の前記発生位置（９）の前記決定が、全ての前記放射線検出器（２）の前記測定値と、前記測定領域（７）に関連する基準データセットの比較による、互いの及び前記測定領域（７）に対する前記放射線検出器（２）の既知の相対的位置関係とを考慮して実行され、
前記基準データセットが、発生位置（９）にそれぞれに関連する多数の部分基準データセットで構成され、全ての部分基準データセットがそれぞれ、前記発生位置（９）のうちの１つの固有データにより形成され、前記固有データは、互いの前記放射線検出器（２）の測定値の関係により形成される、ことを特徴とする方法。
【請求項２】
前記検出した放射信号（１０）の前記発生位置（９）が或る測定時間に決定され、前記発生位置（９）を有する前記測定領域（７）の図形描写のために提供される、ことを特徴とする請求項１に記載の方法。
【請求項３】
超音波信号（１８）が前記測定時間に前記測定領域（７）から付加的に検出され、前記測定領域（７）の図形描写のために前記測定時間に関連付けられた超音波測定値として提供され、前記発生位置（９）及び前記超音波測定値が、場所及び位置に関して同時に正確に図形表示装置に表示される、ことを特徴とする請求項１又は２に記載の方法。
【請求項４】
入射窓（１．２）を有する測定ヘッド（１．１）を有し、デカルト座標系のＸ−Ｚ平面内に延びる層の部分である測定領域（７）において崩壊放射性核種（８）の放射事象を同時に検出する測定装置（１）であって、
前記測定ヘッド（１．１）内に、前記入射窓（１．２）から異なる距離を有する数量ｎ＝２，３，・・・，ｉの放射線検出器（２）が、測定位置でアレー（３）内に設けられ、
前記放射線検出器（２）が、前記測定領域（７）からの放射信号（１０）を受信し、受信した放射信号（１０）に基づく測定値を提供する機能を有し、
前記放射線検出器（２）のそれぞれが、前記測定領域（７）内側の異なる発生位置（９）から生じる放射信号（１０）の測定値の検出に関して異なる幾何学的効率を有し、
前記測定装置（１）は、前記放射信号（１０）を評価して前記発生位置（９）を決定するための評価ユニット（４）を有し、当該評価ユニット（４）は、前記検出した放射信号（１０）の前記発生位置（９）が前記測定ヘッド（１．１）の測定位置のうちの１つのみで検出された測定値であって、前記測定領域（７）に関連する基準データセットのデータと比較される多数の測定値から決定できるように、構成され、
前記基準データセットは多数の部分基準データセットで構成され、全ての部分基準データセットがそれぞれ、前記発生位置（９）のうちの１つの固有データにより形成され、それぞれの部分基準データセットの前記固有データは、互いの前記放射線検出器（２）の測定値の関係により形成される、ことを特徴とする測定装置。
【請求項５】
前記放射線検出器（２）が前記入射窓（１．２）と垂直な少なくとも１つのＸ−Ｚ平面内に交互に配置され、前方検出器（２）が前記入射窓（１．２）に直接配置され、後方検出器（２）が前記入射窓（１．２）から、そのため前記測定領域（７）からさらに離れて配置される、ことを特徴とする請求項４に記載の測定装置（１）。
【請求項６】
少なくとも１つの超音波プローブ（１６）が、前記測定領域（７）からの超音波信号（１８）を送受信するために前記測定ヘッド（１．１）に付加的に配置される、ことを特徴とする請求項４又は５に記載の測定装置（１）。
【請求項７】
前記測定装置（１）がコリメータを備えない測定装置（１）として構成される、ことを特徴とする請求項４〜６のいずれか一項に記載の測定装置（１）。
【請求項８】
前記測定ヘッド（１．１）が携帯型装置であり、使用者の手で保持及びガイドできる、ことを特徴とする請求項４〜７のいずれか一項に記載の測定装置（１）。
【請求項９】
前記少なくとも１つの超音波プローブ（１６）が放射線検出器（２）の前記アレー（３）の隣に配置される、ことを特徴とする請求項５及び６に記載の測定装置（１）。
【請求項１０】
放射線検出器（２）の前記アレー（３）が前記少なくとも１つの超音波プローブ（１６）の後ろに配置され、それにより前記放射信号（１０）が前記超音波プローブ（１６）の領域を通過し、その後前記放射線検出器（２）により検出される、ことを特徴とする請求項５及び６に記載の測定装置（１）。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
対象者の第１のタイプの感覚を示す強度レベルを前記対象者の異なる第２のタイプの感覚のパラメータ値で表すコンピュータ実施方法であって、
前記第１のタイプの感覚を示す第１の強度レベルを表す、前記第２のタイプの感覚の第１のパラメータ値を決定することと、
前記第１のパラメータ値を参照して前記第１のタイプの感覚を示す第２の強度レベルを表す、前記第２のタイプの感覚の第２のパラメータ値を決定することと、
を含み、前記第１のパラメータ値は、前記対象者の前記第２のタイプの感覚の少なくとも１つの丁度可知差異（ＪＮＤ）だけ前記第２のパラメータ値から異なる、方法。
【請求項２】
前記第２のタイプの感覚の前記第１のパラメータ値を決定することは、
前記第２のタイプの感覚のＪＮＤに基づいて前記対象者が区別可能な前記対象者の前記第２のタイプの感覚の複数のパラメータ値を決定することと、
前記第１のパラメータ値である、前記第２のタイプの感覚の前記複数のパラメータ値のうちの１つを選択することと、
を更に含む、請求項１に記載の方法。
【請求項３】
前記複数のパラメータ値のうちの１つを選択することは、
前記第１のタイプの感覚を示す前記強度レベルの値範囲を決定することと、
前記対象者の前記第１のタイプの感覚のＪＮＤに基づいて、前記値範囲を複数の間隔に分割することであって、前記複数の間隔の数が、前記第２のタイプの感覚の前記複数のパラメータ値の数に等しいように分割することと、
前記複数の間隔に基づいて、前記第１のパラメータ値である、前記第２のタイプの感覚の前記複数のパラメータ値のうちの前記１つを選択することと、
を含む、請求項２に記載の方法。
【請求項４】
前記第２のタイプの感覚の前記複数のパラメータ値は、前記対象者が区別可能な前記第２のタイプの感覚の全てのパラメータ値を含む、請求項２又は３に記載の方法。
【請求項５】
前記第２のタイプの感覚の前記第２のパラメータ値を決定することは、前記第２のパラメータ値である、前記第２のタイプの感覚の前記複数のパラメータ値のうちの別の１つを選択することを更に含む、請求項２〜４のいずれか一項に記載の方法。
【請求項６】
前記第１のタイプの感覚は、視覚、聴覚、距離感覚、味覚、嗅覚、前庭知覚を含む、請求項１〜５のいずれか一項に記載の方法。
【請求項７】
前記第２のタイプの感覚は触覚を含み、且つ前記第２のタイプの感覚の前記パラメータ値は電圧及び電流を含む、請求項１〜６のいずれか一項に記載の方法。
【請求項８】
前記第１のタイプの感覚を示す前記第１の強度レベルは、画像の第１の部分を示す第１の視覚強度レベルを含み、且つ前記第１のタイプの感覚を示す前記第２の強度レベルは、その同じ画像の第２の部分を示す第２の視覚強度レベルを含む、請求項１〜７のいずれか一項に記載の方法。
【請求項９】
前記画像の前記第２の部分は、前記画像の関心領域（ＲＯＩ）の少なくとも一部を含む、請求項８に記載の方法。
【請求項１０】
前記ＲＯＩは、前記強度レベルが経時変化する領域を含む、請求項９に記載の方法。
【請求項１１】
前記ＲＯＩは、前記画像中の移動物体を含む、請求項９に記載の方法。
【請求項１２】
前記ＲＯＩは、前記画像中のエッジを含む、請求項９に記載の方法。
【請求項１３】
前記ＲＯＩは、前記画像中のシーン物体を含む、請求項９に記載の方法。
【請求項１４】
前記第２のタイプの感覚への適応に対抗するように、前記第２のタイプの感覚の前記パラメータ値を経時調整することを更に含む、請求項１〜１３のいずれか一項に記載の方法。
【請求項１５】
感覚置換システムにより実行され、且つ前記第２のパラメータ値は感覚出力デバイスに入力として提供される、請求項１〜１４のいずれか一項に記載の方法。
【請求項１６】
前記第１の強度レベルは、前記対象者の前記第１のタイプの感覚の１つ未満のＪＮＤだけ前記第２の強度レベルから異なる、請求項１〜１５のいずれか一項に記載の方法。
【請求項１７】
プロセッサにより実行される機械可読命令を含むコンピュータソフトウェアプログラムであって、前記プロセッサに請求項１〜１６のいずれか一項に記載の方法を実行させる、コンピュータソフトウェアプログラム。
【請求項１８】
対象者の第１のタイプの感覚を示す強度レベルを前記対象者の異なる第２のタイプの感覚のパラメータ値で表すコンピュータシステムであって、
命令を記憶するメモリと、
前記命令を前記メモリから通信するバスと、
前記バスを介して通信される前記メモリから前記命令を実行して、
前記第１のタイプの感覚を示す第１の強度レベルを表す、前記第２のタイプの感覚の第１のパラメータ値を決定することと、
前記第１のパラメータ値を参照して前記第１のタイプの感覚を示す第２の強度レベルを表す、前記第２のタイプの感覚の第２のパラメータ値を決定することと、
を行うプロセッサと、
を備え、前記第１のパラメータ値は、前記対象者の前記第２のタイプの感覚の少なくとも１つの丁度可知差異（ＪＮＤ）だけ前記第２のパラメータ値から異なる、コンピュータシステム。
【請求項１９】
対象者の視覚情報を示す強度レベルを、触覚を示す強度レベルに変換する感覚置換システムであって、
前記対象者の視覚情報を示す前記強度レベルを捕捉する感覚情報捕捉デバイスと、
刺激生成部材のアレイと、
プロセッサであって、
視覚情報を示す第１の強度レベルを表す、触覚の第１のパラメータ値を決定することと、
前記第１のパラメータ値を参照して視覚情報を示す第２の強度レベルを表す、触覚の第２のパラメータ値を決定することと、
を行うプロセッサと、
を備え、前記第１のパラメータ値は、前記対象者の触覚の少なくとも１つの丁度可知差異（ＪＮＤ）だけ前記第２のパラメータ値から異なる、感覚置換システム。
【請求項２０】
前記感覚情報捕捉デバイスはカメラを含む、請求項１９に記載の感覚置換システム。
【請求項２１】
前記刺激生成部材はコインモータ又は電極を含む、請求項１９又は２０に記載の感覚置換システム。
【手続補正２】
【補正対象書類名】明細書
【補正対象項目名】０１１９
【補正方法】変更
【補正の内容】
【０１１９】
プロセッサ９１０は、メモリ９２０からの命令を実行して、
第１のタイプの感覚を示す第１の強度レベルを表す、第２のタイプの感覚の第１のパラメータ値を決定することと、
第１のパラメータ値を参照して第１のタイプの感覚を示す第２の強度レベルを表す、第２のタイプの感覚の第２のパラメータ値を決定することと
を行い得、第１のパラメータ値は、対象者の第２のタイプの感覚の少なくとも１つの丁度可知差異（ＪＮＤ）だけ第２のパラメータ値から異なる。